(57)【要約】      （修正有）【課題】額縁用裏板押え具に関し、特に木製や合成樹脂製、またはアルミ等の軽金属製からなる額縁のフレームの裏面に取り付けれ、画材や裏板を確実に押えることのできる額縁用裏板押え具を提供する。【解決手段】額縁のフレーム３裏面に基部１１を固定し、該基部から一体的に延長する弾性押え片１２が一定の押し圧力を有し、額縁の内側に収納される画材や裏板の任意の厚さに対応できるように形成し、基部及び弾性押え片がプラスチックで一体成形されており、基部から延長する弾性押え片は基部より薄く成形されて弾力性を有し、額縁のフレーム裏面に基部を固定し、該基部から一体的に延長する弾性押え片の屈曲部に吊り下げ紐挿通孔１３を形成し、且つ、画材や裏板を収納した額縁の表面からの押圧力が加えられた時に、裏板の端部が額縁用裏板押え具の基部内面に当接されるように形成した。【選択図】図２
2016059778.tif 000002
【特許請求の範囲】
【請求項１】
額縁のフレーム裏面に基部を固定し、該基部から一体的に延長する弾性押え片が一定の押し圧力を有し、額縁の内側に収納される画材や裏板の任意の厚さに対応できるように形成されていることを特徴とする額縁用裏板押え具。
【請求項２】
基部及び弾性押え片がプラスチックで一体成形されており、基部から延長する弾性押え片は基部より薄く成形されて弾力性を有することを特徴とする請求項１記載の額縁用裏板押え具。
【請求項３】
額縁のフレーム裏面に基部を固定し、該基部から一体的に延長する弾性押え片を有し、該弾性押え片の屈曲部に吊り下げ紐挿通孔が形成されていることを特徴とする請求項１記載の額縁用裏板押え具。
【請求項４】
画材や裏板を収納した額縁の表面からの押圧力が加えられた時に、裏板の端部が額縁用裏板押え具の基部内面に当接されるように形成されていることを特徴とする請求項１記載の額縁用裏板押え具。
【発明の詳細な説明】
【技術分野】
【０００１】  本発明は額縁用裏板押え具に関し、特に木製や合成樹脂製、またはアルミ等の軽金属製からなる額縁のフレームの裏面に取り付けれ、画材や裏板を確実に押えることのできる額縁用裏板押え具に関する
【背景技術】
【０００２】  従来、額縁用裏板押え具は慣用的にトンボと称され、合成樹脂や金属片で形成された押し片で構成され、その基部を額縁のフレーム背面に木ネジで回転可能に固定されているものであった。【０００３】  しかし、前記せるような額縁用裏板押え具を用いて画材等を額縁に収納する操作は、一般的に作業がしづらく、また、近年になってネイルアートを施した女性にとっては、特に作業がしづらいものであった。【０００４】  このような作業性を改善するために、額縁のフレームに対して裏板押え具の基部を容易に取り付けられるような額縁の裏板押え具が創案されている。【０００５】
【特許文献１】  特開２００５−２５３５０２号公報
【特許文献２】  実開平７−３０８２０号公報
【０００６】  前記せる特開２００５−２５３５０２号公報では、裏板押え片の基部を額縁の係止溝に嵌めこみ、押え片の回転や滑動を容易にするものであった。【０００７】  また、前記せる実開平７−３０８２０号公報では、額縁裏ボード押え金具をバネ材で一体成形し、Ｕ字状に形成した基部を額縁の溝に嵌着し、延長する押え部のバネ性で画材等を押えるものであった。
【発明の概要】
【発明が解決しようとする課題】
【０００８】  前記せる引用文献１の特開２００５−２５３５０２号公報および引用文献２の実開平７−３０８２０号公報においても、額縁の表面からの押圧力に対して額縁の内側に収納される画材や裏板の任意の厚さに対応することができず不安定であった。【０００９】  また、従来は額縁を吊り下げる為の吊り下げ用紐を通す金具がフレームに取付けられていたが、後述するように本発明では額縁用裏板押え具が額縁吊り下げ用金具を兼ねており従来の吊り下げ紐取付金具を不要とし、コストダウンすることができる。【００１０】  更に本発明の額縁用裏板押え具によれば、額縁に収納される画材や裏板の任意の厚さに対応することができる。
【課題を解決するための手段】
【００１１】  本発明の額縁用裏板押え具は、額縁のフレーム裏面に基部を固定し、該基部から一体的に延長する弾性押え片が一定の押し圧力を有し、額縁の内側に収納される画材や裏板の任意の厚さに対応できるように形成されていることを特徴とし、基部及び弾性押え片がプラスチックで一体成形されており、基部から延長する弾性押え片は基部より薄く成形されて弾力性を有することを特徴とし、額縁のフレーム裏面に基部を固定し、該基部から一体的に延長する弾性押え片を有し、該弾性押え片の屈曲部に吊り下げ紐挿通孔が形成されていることを特徴とし、且つ、画材や裏板を収納した額縁の表面からの押圧力が加えられた時に、裏板の端部が額縁用裏板押え具の基部内面に当接されるように形成されていることを特徴とする額縁用裏板押え具である。
【発明の効果】
【００１２】    以上説明したような本発明の額縁用裏板押え具では、額縁のフレーム裏面に基部を固定し、該基部から一体的に延長する弾性押え片が基部より薄く成形されているので一定の弾性押し圧力を有し、額縁の内側に収納される画材や裏板の任意の厚さに対応することができる。【００１３】  また、画材や裏板を収納した額縁の表面からの押圧力が加えられた時にも、裏板の端部が額縁用裏板押え具の基部内面に当接されるように形成されているので、画材や裏板が不用意に脱落することがない。
【図面の簡単な説明】
【００１４】
【図１】  本発明に係る額縁用裏板押え具の平面図である。
【図２】  図１のＡ−Ａ線断面図である。
【図３】  図１のＡ−Ａ線断面図である。
【図４】  従来の額縁用裏板押え具の平面図である。。
【図５】  図４のＡ−Ａ線断面図である。
【発明を実施するための形態】
【００１５】  以下、図面に基づいて、本発明を実施するための最良の形態を具体的に説明する。
【００１６】  図１乃至図３に示すように、額縁のフレーム３の裏面に基部１１をビス２で固定し、該基部１１から一体的に延長する弾性押え片１２が一定の押し圧力を有し、額縁の内側に収納される画材４や裏板５の任意の厚さに弾性押え片１２が対応できるように形成されている。
【００１７】  基部１１及び弾性押え片１２がプラスチックで一体成形されており、基部１１から延長する弾性押え片１２は基部１１より薄く成形されて弾力性を有している。
【００１８】  額縁のフレーム３の裏面に基部１１をビス２で固定し、該基部１１から一体的に延長する弾性押え片１２を有し、該弾性押え片１２の屈曲部に吊り下げ紐挿通孔１３が形成されている。
【００１９】  画材４や裏板５を収納した額縁の表面からの押圧力ｂが加えられた時に、裏板５の端部が額縁用裏板押え具の基部内面１１１に当接されるように形成されている．
【００２０】  図４乃至図５は従来の額縁用裏板押え具を示しており、慣用的にトンボと称され、合成樹脂や金属片で平面状に形成された押し片で構成されている。
【００２１】  その基部はビス２で額縁のフレーム３の背面に木ネジ２で回転可能に固定されているものであった。
【００２２】  従来、慣用的に称されるトンボの裏板押え具１は、図４に示すようにビス２を介して矢印ｃ又はｄのように回転できるが、図５に示すように裏板押え具１が水平であるから、裏板補助ボード６を重ねて固定しなければならない。
【産業上の利用可能性】
【００２３】  本発明の額縁用裏板押え具は以上説明したような構成であるので、額縁のフレーム裏面に基部を固定し、該基部から一体的に延長する弾性押え片が一定の押し圧力を有し、額縁の内側に収納される画材や裏板の任意の厚さに対応できるように形成されており、基部及び弾性押え片がプラスチックで一体成形されており、基部から延長する弾性押え片は基部より薄く成形されて弾力性を有するので、前記せる一定の押し圧力を有している。【００２４】  また、基部から一体的に延長する弾性押え片の屈曲部に吊り下げ紐挿通孔が形成されてので、従来の吊り下げ紐取付金具を不要とし、コストダウンすることができる。【００２５】  また、画材や裏板を収納した額縁の表面からの押圧力が加えられた時でも、裏板の端部が額縁用裏板押え具の基部内面に当接されるように形成されているので、画材や裏板が脱落することもなく、裏板補助ボードが不要であるので、この点でもコストダウンになるので産業上の利用価値が生じる発明である。
【符号の説明】
【００２６】    １    裏板押え具
１１    基部
１１１    基部内面
１２    弾性押え片
１３    吊り下げ紐挿通孔
２    ビス
３    フレーム
４    透明プレート又は画材
５    裏板
６    裏板補助ボード
【図１】
2016059778.tif 000003
【図２】
2016059778.tif 000004
【図３】
2016059778.tif 000005
【図４】
2016059778.tif 000006
【図５】
2016059778.tif 000007